(57)【特許請求の範囲】
【請求項１】
ジッパースライダーを有するジッパーの開閉を補助するための装置であって、
当該ジッパーのジッパースライダー(4)は、それぞれ歯部を有するジッパー走行路(6,8)に沿って開閉方向のそれぞれに移動するときに、対をなす両側のインターロック可能なジッパー走行路を選択的に分離および接続することによって当該ジッパーを開閉するスライダーであり、
本ジッパー補助装置は、
（ａ）それぞれにガイド角を形成する第１及び第２の分岐したガイド経路(14,16)を有してなる本体部であって、
前記第１及び第２のガイド経路は、それらガイド経路のガイド角に対応するように、前記ジッパースライダーの前方でジッパー走行路の閉角度を減少させるため、前記ジッパースライダーの前方での、当該ガイド経路に沿った前記ジッパー走行路の、スライドするがインターロックしない動作のために、それぞれのジッパー走行路を受け入れるためのガイド経路であり、
前記第１及び第２のガイド経路は、当該本体部の中央線の両側において、それぞれ対応する前記ジッパー走行路の歯部を受け入れるべく筒形状に形成されており、且つ、
それぞれのガイド経路は、それぞれのジッパー走行路をそれぞれのガイド経路内に受領および保持させるために、各ガイド経路の周辺部に形成されると共に当該本体部の両側面に開口した狭目のアクセス溝(28,30)を備えている、本体部と、
（ｂ）前記ジッパーの少なくとも一部に沿って、前記本体部の手動引っ張り動作を許容すべく前記本体部に取り付けられたつまみ部であって、
操作者が前記ジッパースライダーを閉方向にスライドさせるときに、前記ジッパースライダーのプルタブと当該つまみ部とを同時に掴むことができるよう、前記ジッパースライダーの前記プルタブに対して同じ方向に向けて配置されている、つまみ部と、
（ｃ）前記本体部に含まれる整合プレートであって、
本補助装置の前記ジッパー走行路との整合を補助し維持すべく、前記本体部の引っ張り動作中にジッパーにスライド支持を提供するために、前記ジッパー走行路におけるジッパーのタブ(5)と反対側において、ジッパースライダーのインターロックポイントに配置された、整合プレートと、
を備えており、
前記本体部の第１及び第２の分岐したガイド経路は、それら第１及び第２のガイド経路がジッパー走行路の閉角度を減少させるがジッパー走行路をインターロックしないように、間隔を隔てて配置されている、ことを特徴とする装置。
【請求項２】
前記本体部はくさび形であることを特徴とする請求項１に記載の装置。
【請求項３】
前記本体部は、当該本体部に取り付けられているつまみ部を受領する開口部を含んでいることを特徴とする請求項１に記載の装置。
【請求項４】
各ガイド経路は、各ジッパー走行路の進入および退去を容易にするため、各ガイド経路の端部に斜面を更に備えていることを特徴とする請求項１に記載の装置。
【請求項５】
前記本体部は、その正面において、前記ジッパースライダーをその中に受領するため、前記ジッパースライダーの形状に近似する形状のノッチ(20)を備えることを特徴とする請求項１に記載の装置。
【請求項６】
ほぼ前記つまみ部と共に延び、且つジッパープルタブに取り付けられたジッパープルタブ延出部材を更に備えてなることを特徴とする請求項１に記載の装置。
【請求項７】
前記本体部は、患者の手足周囲でスライド移動できるよう隙間を提供するため、前記ノッチが形成されている正面とは反対側の背面に形成された弓形凹部(27)を更に備えてなることを特徴とする請求項５に記載の装置。
【発明の詳細な説明】
【技術分野】
【０００１】
本発明はジッパーを開閉する装置に関し、特に圧迫長靴下（又は圧迫ストッキング）のジッパーに取り付けられた開閉装置であって、ジッパーを閉方向に手動で引っ張るための装置に関する。
【背景技術】
【０００２】
ジッパーは衣服（着用物）を着用させ、身体に固定する手段として事実上全てのタイプの衣服に使用されている。多くの場合ジッパーは、必要に応じてジッパーが開口部を容易に上下できるよう、比較的に緩くフィットする衣服の開口部を閉めるために使用されている。他のタイプの衣服では、開口部は特に当初のジッパー位置にてジッパーにさらに強力な力を必要とする。これらの着用物タイプには、ブーツ、ジャケット、財布、バックパックおよび一部の靴下製品が含まれる。
【０００３】
本願の特定開示内容および好適実施態様は、患者の脚に通常使用される、血流を増加させるために一般的に着用される圧迫長靴下に関する。しかしながら、本発明は圧迫長靴下に限定されず、ジッパーの閉動作が補助となるどのような衣服または製品にも利用できる。治療用法での圧迫長靴下機能は、患者の脚周囲にきつくフィットすることで、血流速度を増加させて下肢の血液プールを減少させる。このため、圧迫長靴下は形状化されたプラスチックパネル部分として製造されることが多く、辺縁のジッパーは長靴下が肢部（手足）を圧迫して包囲するように閉じられる。肢部を圧迫する必要性から、これらのタイプの衣服のジッパーは、衣服のタイトなフィットのために閉じることが困難であることが多い。多くの場合、着用者は他人の補助を必要とし、一人が伸縮性パネルの両側の縁部を保持するために両手を使用し、もう一人が長靴下を脚周囲に取り付けるようジッパーを長手方向に沿って引っ張る。
【０００４】
場合によっては、ジッパーを閉じる角度が増大すると、ジッパースライダーがジッパーを閉める方向に移動されるにつれて、ジッパー走行路に作用する横断方向の応力がだんだん大きくなり、ジッパー部材に強力な応力かかる。場合によっては応力が非常に大きいため、ジッパーはある位置を越えて閉められない。また場合によっては、ジッパーは損傷するか、あるいは閉動作中にジッパースライダーが一方または両方のジッパー走行路から外れることがある。プライヤまたは長形ホックなどのジッパースライダーを係合させる工具を使用して、さらに大きな力をジッパーに適用させてジッパーを動かすこともできる。これらの工具はジッパー部材に相当な力をかけるが、力を減ずるわけではなく、ジッパーの閉じ角によって生じる閉動作への抵抗に打ち克とうとするだけであるため、この増加した力はジッパー損傷の可能性を高める。
【０００５】
従って、ジッパー走行路を十分に鋭角に維持することができ、ジッパーの損傷を回避しながらジッパーの手動移動を比較的に容易にさせる、ジッパースライダーの移動を補助するための装置が必要とされている。
【先行技術文献】
【特許文献】
【０００６】
【特許文献１】（特になし）
【発明の概要】
【発明が解決しようとする課題】
【０００７】
従って、本発明の目的の一つは、ジッパーの開閉を補助するためのジッパー補助装置を提供することにある。
【０００８】
本発明の別な目的は、ジッパーの閉角度を減少させることで、ジッパーへの応力を減少させる補助装置を提供することにある。
【０００９】
本発明のさらに別な目的は、ジッパーで閉じてその後に外すことができる衣服または製品に容易に取り付けできるジッパー補助装置の提供である。
【００１０】
本発明のさらに別な目的は、異なるサイズのジッパーにフィットする十分な順応性を有するジッパー補助装置の提供である。
【００１１】
本発明のさらに別な目的は、持ち運びできるジッパー補助装置の提供である。
【００１２】
本発明のさらに別な目的は、ジッパーから外せるジッパー補助装置の提供である。
【００１３】
本発明のさらに別な目的は、他人の補助無しで着用者に衣服を着用させるジッパー補助装置の提供である。
【００１４】
本発明のさらに別な目的は、ジッパーを効率的に閉じるために必要な力を減少させるジッパー補助装置の提供である。
【課題を解決するための手段】
【００１５】
上記の及びそのための目的や利点は、次のような装置を提供することで達成できる。即ち、ジッパーの開閉を補助するための装置は、ジッパースライダーがジッパー走行路に沿って開閉方向のそれぞれに移動するとき、選択的に両側のインターロック可能なジッパー走行路を分離および接続することによって、ジッパーを開閉するジッパースライダーを有する。この装置は、ガイド経路のガイド角に対応するように、ジッパースライダーの前方でジッパー走行路の閉角度を減少させるよう、ジッパースライダーの前方でガイド経路に沿ったジッパー走行路をスライドするが、インターロックしない動作を提供するための、ジッパー走行路のそれぞれを受領するように互い方向に配向したガイド角を有する第１および第２の分岐した誘導経路（ガイド経路）を有する本体部を含んでいる。つまみ部は、ジッパーの少なくとも一部を通って本体部の相互引張り動作を許容すべく本体部に取り付けられている。つまみ部は、操作者がジッパースライダーを閉方向にスライドさせる間、ジッパースライダーのプルタブとつまみ部とを同時的に掴むことができるよう、一般的にはジッパースライダーのプルタブに対して同一方向に延びる配向性で配置されている。
【００１６】
別の実施態様によれば、本体部はくさび形である。別の実施態様では、第１および第２の分岐ガイド経路は、本体部の中央線の両側にそれぞれ対称形状の凹状面を形成する。
【００１７】
別の実施態様によれば、本体部は、本体部に取り付けられているつまみ部を受領する開口部を含んでいる。
【００１８】
別の実施態様によれば、それぞれのガイド経路は、それぞれのジッパー走行路をそれぞれのガイド経路内に受領および保持させるために各ガイド経路の周辺部に形成された比較的に狭目のアクセス用スロット（アクセス溝）をさらに含んでいる。
【００１９】
別の実施態様によれば、本体部は、本装置のジッパー走行路との整合を補助および維持するよう、本体部の引っ張り動作中にジッパーにスライド支持を提供するための、ジッパースライダーのインターロックポイントに配置された整合プレートをさらに含んでいる。
【００２０】
別の実施態様によれば、各ガイド経路は、各ジッパー走行路の進入および退去を容易にするため、各ガイド経路の端部に斜面をさらに含んでいる。
【００２１】
別の実施態様によれば、本体部は、ジッパースライダーをその中に受領するため、ジッパースライダーの形状に近似する形状のノッチを含んでいる。
【００２２】
別の実施態様によれば、ノッチはアクセスプレートの基端部に形成されている。
【００２３】
別の実施態様によれば、本装置は、つまみ部と概ね重なり、ジッパープルタブに取り付けられたジッパープルタブ延出部材を含んでいる。
【００２４】
別の実施態様によれば、本装置は、患者の手足周囲でスライド移動させる隙間を提供するため、ノッチの反対側の面に形成された弓形凹部を含んでいる。
【００２５】
本発明の別の実施態様によれば、ジッパースライダーがジッパー走行路を通って開閉方向のそれぞれに動くとき、両側のインターロック可能な一対のジッパー走行路を選択的に分離および接続することによってジッパーを開閉するジッパースライダーを有する形態である、ジッパーの開閉を補助するための装置が提供される。この装置は、ジッパースライダー前方でジッパー走行路の閉角度を減少させるよう、ジッパースライダー前方のガイド経路に沿ったジッパー走行路をスライドするがインターロックしない動作のために、ジッパー走行路のそれぞれを受領する第１および第２のガイド経路を有する本体部を含んでいる。つまみ部は、ジッパーの少なくとも一部に沿って本体部の引っ張り動作を許容すべく本体部に取り付けられている。ジッパースライダーを受領するためにジッパースライダーの形状に近似するノッチが本体部に形成されている。つまみ部は、操作者がジッパースライダーを閉方向にスライドさせる間、ジッパースライダーのプルタブとつまみ部とを同時的に掴むことができるよう、ジッパースライダーのプルタブに対して概ね同一方向に延びる配向性で配置されている。
【００２６】
別の好適な実施態様によれば、ジッパースライダーが走行路を通って開閉方向のそれぞれに動くとき、両側のインターロック可能な一対のジッパー走行路を選択的に分離および接続することによってジッパーを開閉するためのジッパースライダーを有する形態である、ジッパーの閉動作を補助するための方法が提供される。この方法は、ジッパースライダーの前方でジッパー走行路の閉角度を減少させるためにインターロック可能な一対の走行路を選択的に接続する中央ジッパースライダーの前方でガイド経路に沿ってスライドするがインターロックしないようにジッパー走行路のそれぞれを受領する第１及び第２の分岐ガイド経路を有する本体部を含んだ装置を提供するステップを含んでいる。つまみ部は、本体部の手動での引っ張り運動を許容すべく本体部に取り付けられており、各走行路をガイド経路のそれぞれに挿入させる。本装置はジッパースライダーの手前にスライドし、本体部に取り付けられているつまみ部とジッパースライダーのプルタブは、ジッパーを閉じるためにジッパー走行路に沿って手動で掴まれて移動される。
【００２７】
別の実施態様によれば、各走行路を各ガイド経路に挿入するステップは同時的に実施される。
【００２８】
別の実施態様によれば、各走行路を各ガイド経路に挿入するステップは順番に実施される。
【００２９】
本発明の目的の一部については前述した。その他の目的および利点は、以下の図面を参考にしつつ、下記の説明から明らかとなるであろう。
【図面の簡単な説明】
【００３０】
【図１】図１は、本発明の一実施形態に従う、ジッパーの使用を補助する装置の斜視図である。
【図２】図２は、ジッパー補助装置の正面図である。
【図３】図３は、ジッパー補助装置の側面図である。
【図４】図４は、ジッパー補助装置の背面図である。
【図５】図５は、ジッパー補助装置の上面図である。
【図６】図６は、圧迫長靴下のジッパー走行路の取付位置に取り付けられたジッパー補助装置を示す斜視図である。
【図７Ａ】図７Ａは、圧迫長靴下のジッパー走行路に取り付けられ、ジッパー走行路の最下部に位置するジッパー補助装置の前面図である。
【図７Ｂ】図７Ｂは、圧迫長靴下のジッパー走行路に取り付けられた、ジッパー走行路の最下部に位置するジッパー補助装置とジッパーのプルタブの前面図である。
【図７Ｃ】図７Ｃは、図７Ａのジッパー補助装置の拡大図である。
【図８】図８は、圧迫長靴下のジッパー走行路の最下部に取り付けられ、ジッパーを閉じるために着用者の指によって上方に引っ張られている状態を示すジッパー補助装置の側面図である。
【図９】図９は、圧迫長靴下のジッパー走行路の中間部にあるジッパー補助装置であって、ジッパーを閉じるために着用者の指によって上方に引っ張られている状態を示す側面図である。
【図１０】図１０は、圧迫長靴下のジッパー走行路の最上部にあるジッパー補助装置であって、ジッパーを閉じるために着用者の指によって上方に引っ張られている状態を示す前面側斜視図である。
【図１１】図１１は、ジッパー補助装置が圧迫長靴下のジッパー走行路から外されており、圧迫長靴下は完全に閉じられた状態を示す前面側斜視図である。
【図１２】図１２は、本発明の別実施例によるジッパー補助装置とジッパープルタブ延出部材の斜視図である。
【図１３】図１３は、本発明の別実施例による着脱式ジッパー補助装置の別の斜視図である。
【図１４】図１４は、本発明の別実施例によるジッパー補助装置の別の斜視図である。
【図１５】図１５は、本発明の別実施例によるジッパー補助装置の別の斜視図である。
【図１６】図１６は、本発明の別実施例によるジッパー補助装置の別の斜視図である。
【発明を実施するための形態】
【００３１】
図面を参考にして、図１から図１１に符号１０で示された、本発明によるジッパーの開閉を補助する装置（以降、「ジッパー補助装置」と呼ぶ）について説明する。ジッパー補助装置１０は、好適にはくさび形の本体部１２と、本体部１２の両側に形成された一対のガイド経路１４，１６とを含んでいる。リング形状のつまみ部２２が本体部１２に接続されており、本体部１２を引っ張るよう、１本または２本の指をつまみ部２２に挿入することによって手動操作を可能にしている。本体部１２は、ジッパー２を容易に閉じるため、走行路６と８を十分に密着させて本体部１２を引っ張ることができれば、どのような形状でもよい。
【００３２】
ジッパー補助装置１０は、患者または操作者が図６から図１１に示す圧迫長靴下製品１を開閉するよう、一対の走行路６，８に沿ってジッパー２を引っ張る動作を補助する。走行路６，８は典型的には圧迫長靴下６，８に縫い合わされている。中央スライダー４は、ジッパー２を操作すべく走行路６，８をインターロックするため、一対の走行路６，８の各歯部をインターロックするように作用する。スライダー４は、スライダー４を引っ張るためのタブ５を含んでいる。タブ５は開口部５ａを含んでいる。
【００３３】
図６から図１１に示すように、圧迫長靴下１は患者の脚周囲に密着してフィットしてその治療目的を提供（達成）するものであり、よって脚周囲で圧迫長靴下１の両端を係合させるためにはジッパー２に相当程度の引っ張り力を必要とする。この相当程度の引っ張り力はジッパー２またはジッパー走行路６，８を損傷させることがある。
【００３４】
本体部１２は、プラスチック、金属その他の公知のどのような適切な材料によっても形成できる。本体部１２は図１と同一形状である必要はなく、ジッパー２が閉じられるとき、ジッパー走行路６，８が分岐する角度を減少させるように概ね分岐したガイド経路１４，１６(guide channels)を有するどのような形状も有効であろう。本体部１２は図１に示す一対の空隙部を含むことができる。この空隙部は美観目的であったり、材料を節約したり、本体部１２の強靭性を変更させることができる。本体部１２は、本体部１２の取付端部に位置する整合プレート２４をさらに含んでいる。本体部１２にはノッチ２０が形成されており、ジッパースライダー４がノッチ２０内に受領されるよう、ジッパースライダー４に近似する形状を有している。整合プレート２４は中央スライダー４の下をスライドし、中央スライダー４を受領するよう設計されている。このように、整合プレート２４は走行路６，８の下をスライドすることで中央スライダー４に誘導支援を提供する。
【００３５】
つまみ部２２は、本体部１２に形成された開口部２５内にフィットする保持リング２６によって本体部１２に接続されている。保持リング２６は、着用者が様々な角度からつまみ部２２に容易にアクセスできるよう、つまみ部２２を回転させる。実施態様によっては、リング２６は不要であり、つまみ部２２は本体部１２の開口部２５に直接取り付けることができる。前述のように、つまみ部２２はリング形状で図示されているが、掴むことができるか、または１本以上の指を挿入させるどのような形状も適切である。
【００３６】
一対のガイド経路１４，１６は本体部１２の両側に配置されている。経路１４及び１６の各々は、くさび形の本体部１２の中心部に略凹状に示されているが、その他の形状に製造することもできる。経路１４，１６はそれぞれジッパー走行路６，８の歯部を受領するよう筒形状となっている。経路１４，１６は本体部１２と同じ材料で形成されているか、または本体部１２と一体的に形成できる別の材料でも形成できる。好適には、ガイド経路１４，１６は、それぞれ金属などの耐久性があり低摩擦の材料で形成されるが、オプションでデルリン（登録商標）（Delrin）、テフロン（登録商標）又はその他のどのような好適な材料でも形成することもできる。ガイド経路１４，１６はそれぞれ各ガイド経路から延び出るそれぞれのアクセススロット（アクセス溝）２８，３０を含むこともできる。アクセススロット２８，３０はジッパー走行路６，８の一方をそれぞれ受領する。このように、アクセススロット２８，３０およびガイド経路１４，１６はジッパー走行路６，８の輪郭形状と近似しており、ガイド経路１６，１８内にジッパー走行路を有する。アクセススロット２８，３０、および経路１４，１６はそれぞれジッパー走行路６，８が閉じられる角度を減少させることで応力と摩擦力の集中を減ずるように設計されており、図８に示すようにそれらの当初角度間の緩やかな移行を提供している。好ましくは、アクセススロット２８，３０も耐久性のある低摩擦の材料で形成される。経路１４，１６は、経路１４，１６の上端に傾斜面１５，１７をそれぞれ含んでおり、ジッパー走行路６，８を容易に進入および退去させる。
【００３７】
くさび形の本体部１２とつまみ部２２は、例えば図７Ｂに示すように操作者がつまみ部２２とジッパースライダーのプルタブ５を同時的に掴むことができるよう、ジッパースライダー４のプルタブ５はつまみ部２２に対して概ね重なって共に延びる方向性を有している。ジッパースライダーのプルタブ５は概ねつまみ部２２と重なるか、または共に延びる構成であるが、その他の状況では図１２から図１６に示すようにジッパープルタブ延出部材８０を利用することが適当な場合もある。プルタブ延出部材８０は一対の離間したフランジ８２を含んでおり、それらは、一対の離れたフランジ８２を接続するピン８１で架け渡されている（図１５，１６参照）。ピン８１は一対の離れたフランジ８２の一方に固定されており、一対の離れたフランジ８２の他方に形成された対応する開口部にフィットするように設計されている。タブ開口部５ａが一対の離れたフランジ８２間をスライドしてピン８１を受領するよう、ピン８１に取り付けられていない方のフランジ８２が一対の離れたフランジ８２間に開口部を提供すべく可曲性となるよう、一対のフランジ８２は可撓性である。フランジ８２はその後に解放され、ピン８１は一対のフランジ８２のうちの他方のフランジに形成された対応する開口部内にフィットする。プルタブ延出部材８０はその後プルタブ５に固定される。つまみ部８４はつまみ部２２のようにリング形状でよく、その中に１本または２本の指を挿入することができ、一対のフランジ８２に取り付けられており、図７Ｂに示すように上方に裏返されたときにつまみ部２２と概ね重なるか共に延びる位置となる大きさになっている。図１２から図１６にかけて示す実施例では、プルタブ延出部材８０のつまみ部８４とジッパー補助装置１０のつまみ部２２は、操作者の指がつまみ部２２と８４の両方を容易に通る大きさである。
【００３８】
図７Ｃに示すように、ジッパー補助装置１０はジッパー走行路６と８との間の当初角度を減少させるように作用し、徐々で一貫したジッパーの閉じ角度αを維持してジッパー走行路６，８にかかる応力を減少させる。ジッパーの閉じ角度αは本体部１２のサイズにより変動する。一対のガイド経路１４，１６は、合同で角度αを形成するそれぞれのガイド角度βを形成する。好適な実施例では、角度αはガイド経路１４と１６の最上部から計測して好適には約５０度である。ガイド経路１４と１６の凹形状のため、相対的なジッパー閉じ角度αは、ジッパー経路６，８がジッパー走行路１４，１６を移動するときにだんだん大きくなる。
【００３９】
衣服１が着用される肢部に隙間を提供するため、ジッパー補助装置１０の片面には弓形くぼみ２７が形成されている。弓形くぼみ２７はノッチ２０を有する面の反対側の面に形成されている。
【００４０】
圧迫長靴下１のジッパー補助装置の操作は、図６から図１１にかけて示されている。図６に示すように、ジッパー２の中央スライダー４は好適には完全にジッパーが開かれた位置にある。ジッパー補助装置１０はその後、図６で最も上方に示されている、ジッパー走行路６と８のジッパーが開かれた位置の付近に配置される。各走行路６，８はジッパー補助装置１０の各ガイド経路１４，１６の付近に配置される。両走行路６，８をガイド経路１４，１６の両方に同時的に挿入することもできるが、着用者はガイド経路１４又は１６に走行路６又は８をそれぞれ挿入し、その後、他方の走行路６又は８をガイド経路１４又は１６にそれぞれ挿入することを望むであろう。図７に示すようにジッパー補助装置１０はその後、ジッパー補助装置１０がジッパー２に接近するまでジッパー走行路６，８をスライド下降する。ジッパー補助装置１０の整合プレート２４は中央スライダー４の裏側をスライドすることでジッパー２に追加の支持を提供する。図６から図１１にかけて示すように、プルタブ５の延長が必要な場合、ジッパープルタブ延出部材８０のつまみ部８４がつまみ部２２と概ね重なるか共に延びるべく整合するよう、ジッパープルタブ５を延長させるためにジッパープルタブ延出部材８０がタブ５に取り付けられる。別の実施例では、ジッパー補助装置１０とプルタブ５は、延出部材８０が不要な大きさとしてもよい。
【００４１】
図８に示すように、延出部材８０のつまみ部８４とジッパー補助装置１０のつまみ部２２が略同心となるように、ジッパー延出部材８０がジッパー補助装置１０と概ね重なるか、または同一方向に向くと、着用者は、図８，図９および図１０に連続して示すように、ジッパー補助装置１０をジッパー走行路６，８に沿ってジッパー２を閉じるように本体１２のつまみ部２２と延出部材８０のつまみ部８４を引っ張る。ジッパー補助装置１０がジッパー走行路６，８の最上部の閉じ位置に到達すると、ジッパー補助装置１０はその後、ジッパープルタブ５またはジッパープルタブ延出部材８０（使用されている場合）を解放することでジッパー２から外される。このように延出部材８０は図１１に示すように下方にはじかれ、ジッパー補助装置１０は衣服１および延出部材８０から引っ張られて離れる。
【００４２】
ジッパープルタブ延出部材８０が使用される場合には、その部材８０を設置するステップと逆順序で外される。別実施態様では、衣服はジッパープルタブ延出部材８０を装着した状態で販売されてもよく、延出部材８０は使用中もジッパープルタブ５に取り付けたままであってもよい。
【００４３】
ジッパー補助装置の別実施例は、図１２から図１６に符号１１０で示されている。ジッパー補助装置１１０は、くさび形の本体部１１２と、その本体部１１２両側に形成された一対のガイド経路１１４，１１６を含んでいる。つまみ部１２２は、本体部１１２に形成された開口部１２５と相互接続するように提供されている。
【００４４】
各ガイド経路１１４，１１６はそれぞれにアクセススロット（アクセス溝）１２８，１３０を有する。さらに各ガイド経路１１４，１１６は、ジッパー走行路６，８の出入りを容易にするための傾斜面１１４，１１７を有する。本体部１１２は、本体部１１２の接続端にそれぞれ配置された整合プレート１２４を含んでいる。整合プレート１２４はジッパー２の中央スライダー４の裏側をスライドし、受領するように設計されている。このようにして、整合プレート１２４は走行路６，８の裏側をスライドし、中央スライダー４を導く補助を提供する。
【００４５】
以上、いくつかの実施例によるジッパー補助装置について説明した。本発明の多様な詳細についてはその範囲から逸脱することなく変更することができる。更に、前述した本発明の好適実施例と最良実施態様は例示的なものであり、本発明を限定するものではない。本発明の範囲は「特許請求の範囲」によって定められる。
【符号の説明】
【００４６】
２  ジッパー
４  ジッパーの中央スライダー
６，８  ジッパーの走行路
１０  ジッパー補助装置
１２  本体部
１４，１６  ガイド経路
２０  ノッチ
２２  つまみ部（ハンドル）
２４  整合プレート
２５  開口部
２７  弓形くぼみ（弓形凹部）
２８，３０  アクセススロット（アクセス溝）
８０  ジッパープルタブ延出部材
【図１】
0005474185.tif 000002
【図２】
0005474185.tif 000003
【図３】
0005474185.tif 000004
【図４】
0005474185.tif 000005
【図５】
0005474185.tif 000006
【図６】
0005474185.tif 000007
【図７Ａ】
0005474185.tif 000008
【図７Ｂ】
0005474185.tif 000009
【図７Ｃ】
0005474185.tif 000010
【図８】
0005474185.tif 000011
【図９】
0005474185.tif 000012
【図１０】
0005474185.tif 000013
【図１１】
0005474185.tif 000014
【図１２】
0005474185.tif 000015
【図１３】
0005474185.tif 000016
【図１４】
0005474185.tif 000017
【図１５】
0005474185.tif 000018
【図１６】
0005474185.tif 000019